(57)【特許請求の範囲】
【請求項１】
壁に固定して使用されるリモコン装置であって、
基板と、
前記基板に向かい合う板状部と、前記基板を取り囲む周壁部とを有するケースと、
前記板状部との間で前記基板を挟み、かつ前記基板よりも前記壁側に配置された絶縁シートとを備え、
前記ケースは前記周壁部に接続された爪部を含み、
前記爪部は、前記絶縁シートの少なくとも一部の上端を前記絶縁シートに対して前記基板と反対側から覆っており、
前記爪部は、前記周壁部から前記絶縁シートに対して前記基板と反対側に突出してから前記絶縁シートの下端側に向かって延在しており、
前記爪部の下端は、前記絶縁シートに対して前記基板と反対側に位置し、かつ前記絶縁シートの少なくとも一部の上端よりも前記絶縁シートの前記下端側に位置している、リモコン装置。
【請求項２】
前記爪部は、前記周壁部から前記爪部の前記絶縁シートに対して前記基板と反対側の先端に向かって前記絶縁シートの下端側に傾斜する上面を含む、請求項１に記載のリモコン装置。
【請求項３】
前記爪部は、前記絶縁シートの少なくとも一部の上端を係止している、請求項１または２に記載のリモコン装置。
【請求項４】
前記爪部は、前記絶縁シートの上下方向に交差する水平方向において中央に配置された中央部と、前記水平方向において前記中央部の両端に接続された堰部とを含み、
前記堰部は、前記中央部よりも前記絶縁シートの上下方向に張り出している、請求項１〜３のいずれか１項に記載のリモコン装置。
【請求項５】
前記ケースは、前記壁に取り付けられた取付板に前記ケースを取り付けるための取付孔を含み、
前記爪部は、前記取付孔の真下に位置している、請求項１〜４のいずれか１項に記載のリモコン装置。
【発明の詳細な説明】
【技術分野】
【０００１】
本発明はリモコン装置に関するものである。
【背景技術】
【０００２】
従来、給湯器などのリモコン装置は壁面に設置されている。壁面に設置されるリモコン装置では、リモコン装置の背面ケースを備えないものがある。背面ケースを備えないリモコン装置では、リモコン装置の背面側からのケース内への異物の侵入を防止するためにリモコン装置の背面が絶縁シートで覆われているものがある。背面が絶縁シートで覆われているリモコン装置は、たとえば特開２００２−３４５１２４号公報（特許文献１）に開示されている。
【先行技術文献】
【特許文献】
【０００３】
【特許文献１】特開２００２−３４５１２４号公報
【発明の概要】
【発明が解決しようとする課題】
【０００４】
上記公報に記載されたような背面が絶縁シートで覆われているリモコン装置では、たとえば掃除などの際に壁面に付着した水滴が壁面を伝ってリモコン装置に到達し、リモコン装置の背面に取り付けられた絶縁シートとリモコン装置のケースとの隙間からケース内に侵入することがある。この場合、ケース内に侵入した水滴がケース内に配置された基板の回路に接触することにより、基板の回路が短絡してリモコン装置が故障することがある。
【０００５】
本発明は、上記課題に鑑みてなされたものであり、その目的は、ケース内への水滴の侵入を抑制できるリモコン装置を提供することである。
【課題を解決するための手段】
【０００６】
本発明のリモコン装置は、壁に固定して使用されるものである。リモコン装置は、ケースと、基板と、絶縁シートとを備えている。ケースは基板に向かい合う板状部と、基板を取り囲む周壁部とを有している。絶縁シートは板状部との間で基板を挟み、かつ基板よりも壁側に配置されている。ケースは周壁部に接続された爪部を含んでいる。爪部は、絶縁シートの少なくとも一部の上端を絶縁シートに対して基板と反対側から覆っている。
【０００７】
本発明のリモコン装置によれば、爪部は絶縁シートの少なくとも一部の上端を絶縁シートに対して基板と反対側から覆っている。このため、爪部は絶縁シートの少なくとも一部の上端に水滴が流れることを抑制できる。これにより、絶縁シートの少なくとも一部の上端とケースとの隙間からケース内に水滴が侵入することを抑制できる。
【０００８】
上記のリモコン装置においては、爪部は、周壁部から絶縁シートに対して基板と反対側に突出してから絶縁シートの下端側に向かって延在している。爪部の下端は、絶縁シートに対して基板と反対側に位置し、かつ絶縁シートの少なくとも一部の上端よりも絶縁シートの下端側に位置している。このため、爪部は、水滴を絶縁シートに対して基板と反対側であり、かつ絶縁シートの少なくとも一部の上端よりも絶縁シートの下端側に流すことができる。これにより、絶縁シートの少なくとも一部の上端とケースとの隙間からケース内に水滴が侵入することを抑制できる。
【０００９】
上記のリモコン装置においては、爪部は、周壁部から爪部の絶縁シートに対して基板と反対側の先端に向かって絶縁シートの下端側に傾斜する上面を含んでいる。このため、爪部は、周壁部から爪部の絶縁シートに対して基板と反対側の先端に向かって絶縁シートの下端側に傾斜する上面に沿って水滴を流すことができる。これにより、爪部に水滴が溜まって爪部の先端に交差する端部から水滴が流れることを抑制できる。よって、爪部の端部から絶縁シートの少なくとも一部の上端に水滴が流れることを抑制できる。
【００１０】
上記のリモコン装置においては、爪部は、絶縁シートの少なくとも一部の上端を係止している。このため、爪部と絶縁シートの少なくとも一部の上端との間に隙間が生じることを抑制できる。これにより、爪部と絶縁シートの少なくとも一部の上端との隙間からケース内に水滴が侵入することを抑制できる。
【００１１】
上記のリモコン装置においては、爪部は、絶縁シートの上下方向に交差する水平方向において中央に配置された中央部と、水平方向において中央部の両端に接続された堰部とを含んでいる。堰部は、中央部よりも絶縁シートの上下方向に張り出している。このため、堰部は爪部の両端から水平方向に水滴が流れることを抑制できる。これにより、爪部の両端から絶縁シートの少なくとも一部の上端に水滴が流れることを抑制できる。
【００１２】
上記のリモコン装置においては、ケースは、壁に取り付けられた取付板に取り付けるための取付孔を含んでいる。爪部は、取付孔の真下に位置している。取付孔はねじなどによって押圧されるため、取付孔に水滴が集まる。爪部が取付孔の真下に位置しているため、取付孔に集まった水滴が爪部を伝って流れる。これにより、絶縁シートの上端とケースとの隙間からケース内に水滴が侵入することを効果的に抑制できる。
【発明の効果】
【００１３】
以上説明したように、本発明によれば、ケース内への水滴の侵入を抑制できるリモコン装置を提供することができる。
【図面の簡単な説明】
【００１４】
【図１】本発明の一実施の形態におけるリモコン装置の構成を正面側から概略的に示す斜視図である。
【図２】本発明の一実施の形態におけるリモコン装置の構成を概略的に示す背面図である。
【図３】本発明の一実施の形態におけるリモコン装置の構成を背面側から概略的に示す斜視図である。
【図４】本発明の一実施の形態におけるリモコン装置の構成を背面側から概略的に示す分解斜視図である。
【図５】図３のＰ部を拡大して示す拡大図である。
【図６】図５のＶＩ−ＶＩ線に沿う断面図である。
【図７】本発明の一実施の形態におけるリモコン装置に取付板が取り付けられた状態を概略的に示す斜視図である。
【発明を実施するための形態】
【００１５】
以下、本発明の実施の形態について図に基づいて説明する。
まず、本発明の一実施の形態におけるリモコン装置の構成について説明する。
【００１６】
図１を参照して、本発明の一実施の形態におけるリモコン装置は、壁に固定して使用されるものである。このリモコン装置は、たとえば給湯器を操作するためのものである。このリモコン装置は、室内の壁面に取り付けられて、給湯器の制御装置と電装線で接続された状態で使用される。つまり、このリモコン装置は電装線と電気的に接続可能であり、電装線によって給湯器と電気的に接続可能である。
【００１７】
図１〜図４を参照して、本実施の形態のリモコン装置は、ケース１と、基板２と、絶縁シート３と、スイッチ１０と、表示部１１とを主に有している。
【００１８】
主に図１および図２を参照して、ケース１はたとえばＡＢＳ樹脂などの樹脂材によって形成されている。ケース１は、板状部１ａと、周壁部１ｂと、背面１ｃと、爪部１ｄとを有している。板状部１ａは室内の壁面と反対側に配置される。板状部１ａは基板２に向かい合うように構成されている。ケース１の板状部１ａに複数のスイッチ１０と、表示部１１とが配置されている。複数のスイッチ１０はそれぞれリモコン装置を操作するためのものである。表示部１１はリモコン装置の操作状態などを表示するためのものである。また、ケース１の表面にはケース１の内側に配置された図示しないスピーカーからの報知音を通すためのスリット１２が形成されている。
【００１９】
主に図２および図３を参照して、周壁部１ｂは基板２を取り囲むように構成されている。周壁部１ｂは板状部１ａから背面１ｃ側に突出している。周壁部１ｂは板状部１ａに接続された外壁１ｂ１と、外壁１ｂ１からケース１の内側に突出する突出部１ｂ２とを有している。外壁１ｂ１は、板状部１ａの全周に渡って設けられていてもよい。突出部１ｂ２は取付孔１ｅを有している。取付孔１ｅは、後述するように壁に取り付けられた取付板にケース１を取り付けるためのものである。取付孔１ｅは、ケース１の板状部１ａから背面１ｃ側に突出部１ｂ２を貫通している。取付孔１ｅは外壁１ｂ１と爪部１ｄとの間に配置されている。
【００２０】
背面１ｃは板状部１ａに対向する面を規定している。背面１ｃは室内の壁側に配置される。爪部１ｄは周壁部１ｂに接続されている。具体的には、爪部１ｄは周壁部１ｂの突出部１ｂ２に接続されている。爪部１ｄは、取付孔１ｅの真下に位置している。爪部１ｄの水平方向の幅は、取付孔１ｅの最大径よりも大きい。
【００２１】
主に図３および図４を参照して、ケース１の内側に背面１ｃ側から基板２および絶縁シート３が取り付けられている。基板２はケース１の板状部１ａと向かい合うように配置されている。基板２の絶縁シート３と向かい合う面ＳＰに複数のコネクタ２ａおよび複数の回路素子２ｂが実装されている。コネクタ２ａは、たとえば給湯器の制御装置に接続された電装線と接続される。回路素子２ｂは、たとえばコンデンサである。
【００２２】
絶縁シート３は、板状部１ａとの間で基板２を挟むように配置されている。絶縁シート３は基板２よりも壁側に配置されている。絶縁シート３は基板２よりもケース１の背面１ｃ側に配置されている。絶縁シート３は、上端３ａおよび下端３ｂを有している。また、絶縁シート３は複数の孔３ｃを有している。
【００２３】
絶縁シート３は、絶縁性を有する材料で形成されており、たとえばポリエチレンテレフタレート（ＰＥＴ）、ポリカーボネート（ＰＣ）、ポリプロピレン（ＰＰ）などの樹脂材によって形成されている。絶縁シート３は、可撓性を有する材料によってシート状に形成されている。絶縁シート３の厚みはたとえば１００μｍ以上４００μ以下である。絶縁シート３は、ケース１の内側を透視できるように透明または半透明の樹脂材で形成されていることが好ましい。絶縁シート３は、ケース１の背面１ｃ側から複数の孔３ｃに挿入された複数のねじ２０によってケース１にねじ止めされている。
【００２４】
図３〜図６を参照して、爪部１ｄおよび絶縁シート３の構成について詳しく説明する。主に図３および図４を参照して、爪部１ｄは突出部１ｂ２の下端側に配置されている。爪部１ｄは、絶縁シート３の少なくとも一部の上端３ａを絶縁シート３に対して基板２と反対側（背面１ｃ側）から覆っている。爪部１ｄは、絶縁シート３の上端３ａと下端３ｂとが対向する方向である上下方向に交差する水平方向に延在している。
【００２５】
主に図５および図６を参照して、爪部１ｄは、下端１ｄ１と、先端１ｄ２と、上面１ｄ３と、下面１ｄ４と、中央部１ｆと、堰部１ｇとを有している。爪部１ｄは、周壁部１ｂの突出部１ｂ２から絶縁シート３に対して基板２と反対側に突出してから絶縁シート３の下端３ｂ側に向かって延在している。つまり、爪部１ｄは鉤状に形成されている。爪部１ｄの下端１ｄ１は、絶縁シート３に対して基板２と反対側に位置している。爪部１ｄの下端１ｄ１は、絶縁シート３の少なくとも一部の上端３ａよりも絶縁シート３の下端３ｂ側に位置している。
【００２６】
爪部１ｄの上面１ｄ３は、周壁部１ｂの突出部１ｂ２から爪部１ｄの絶縁シート３に対して基板２と反対側の先端１ｄ２に向かって絶縁シート３の下端３ｂ側に傾斜している。爪部１ｄの下面１ｄ４は、爪部１ｄの先端１ｄ２から下端１ｄ１に向かって絶縁シート３の下端３ｂ側に傾斜している。図６中矢印で示すように、水滴は、周壁部１ｂの突出部１ｂ２に沿って下方に流れてから爪部１ｄの上面１ｄ３および下面１ｄ４に沿って下方に流れる。さらに、水滴は爪部１ｄの下面から絶縁シート３に沿って下方に流れる。このため、水滴は絶縁シート３の少なくとも一部の上端３ａとケース１との隙間からケース１内に侵入しない。
【００２７】
爪部１ｄは、絶縁シート３の少なくとも一部の上端３ａを係止している。爪部１ｄの内側（板状部１ａ側）の面に絶縁シート３の少なくとも一部の上端３ａが係止されている。爪部１ｄの下端１ｄ１側から爪部１ｄと周壁部１ｂの突出部１ｂ２との間に絶縁シート３の上端３ａが挿入されている。
【００２８】
爪部１ｄの中央部１ｆは、絶縁シート３の上下方向に交差する水平方向において中央に配置されている。爪部１ｄの堰部１ｇは、水平方向において中央部１ｆの両端に接続されている。堰部１ｇは、中央部１ｆよりも絶縁シート３の上下方向に張り出している。堰部１ｇは、中央部１ｆよりも絶縁シート３の上端３ａ側および下端３ｂ側の両方に向かって張り出している。また、堰部１ｇは中央部１ｆよりもケース１の背面１ｃ側に張り出している。
【００２９】
図７を参照して、リモコン装置が室内の壁面に取り付けられた状態について説明する。リモコン装置は取付板３０を介して室内の壁面に取り付けられている。取付板３０は、板状に形成されており、たとえば鋼によって形成されている。取付板３０はケース１の背面１ｃ側からケース１に取り付けられている。取付板３０は、図３に示す取付孔１ｅに連通する孔３０ａを有している。また、本実施の形態では、ケース１は、第１のケース部材Ｃ１と、第２のケース部材Ｃ２とを有している。第１のケース部材Ｃ１は板状部１ａを有している。第１のケース部材Ｃ１は第２のケース部材Ｃ２を収容するように構成されている。第２のケース部材Ｃ２は第１のケース部材Ｃ１にケース１の背面１ｃ側から挿入されている。第２のケース部材Ｃ２は取付孔１ｅを有している。図７中矢印で示すように板状部１ａ側から取付孔１ｅおよび孔３０ａに図示しないねじが挿入されてねじ止めされることにより第２のケース部材Ｃ２が取付板３０に固定されている。また、取付板３０は中央に開口部３０ｂを有している。取付板３０がケース１に取り付けられた状態で開口部３０ｂは絶縁シート３により覆われている。
【００３０】
続いて、リモコン装置の室内の壁面への取り付け方法について説明する。まず、取付板３０が室内の壁面にねじなどによって取り付けられる。そして、取付板３０が壁面に取り付けられた後に、図７中矢印で示すように板状部１ａ側から取付孔１ｅおよび孔３０ａに図示しないねじが挿入されて第２のケース部材Ｃ２が取付板３０にねじ止めされる。この後、第２のケース部材Ｃ２を覆うように第２のケース部材Ｃ２に第１のケース部材Ｃ１が取り付けられる。これにより、ケース１が取付板３０に取り付けられる。このようにして、リモコン装置が取付板３０を介して室内の壁面に取り付けられる。
【００３１】
次に、本実施の形態のリモコン装置の作用効果について説明する。
再び図２および図５を参照して、本実施の形態のリモコン装置によれば、爪部１ｄは絶縁シート３の少なくとも一部の上端３ａを絶縁シート３に対して基板２と反対側から覆っている。このため、爪部１ｄは絶縁シート３の少なくとも一部の上端３ａに水滴が流れることを抑制できる。これにより、絶縁シート３の少なくとも一部の上端３ａとケース１との隙間からケース１内に水滴が侵入することを抑制できる。したがって、ケース１内に侵入した水滴がケース１内に配置された基板２の回路に接触することにより、基板２の回路が短絡してリモコン装置が故障することを抑制できる。
【００３２】
また、再び図５および図６を参照して、本実施の形態のリモコン装置においては、爪部１ｄの下端１ｄ１は、絶縁シート３に対して基板２と反対側に位置し、かつ絶縁シート３の少なくとも一部の上端３ａよりも絶縁シート３の下端３ｂ側に位置している。このため、爪部１ｄは、水滴を絶縁シート３に対して基板２と反対側であり、かつ絶縁シート３の少なくとも一部の上端３ａよりも絶縁シート３の下端３ｂ側に流すことができる。これにより、絶縁シート３の少なくとも一部の上端３ａとケース１との隙間からケース１内に水滴が侵入することを抑制できる。
【００３３】
また、本実施の形態のリモコン装置においては、爪部１ｄは、周壁部１ｂから爪部１ｄの絶縁シート３に対して基板２と反対側の先端１ｄ２に向かって絶縁シート３の下端３ｂ側に傾斜する上面１ｄ３を含んでいる。このため、爪部１ｄは、周壁部１ｂから爪部１ｄの絶縁シート３に対して基板２と反対側の先端１ｄ２に向かって絶縁シート３の下端３ｂ側に傾斜する上面１ｄ３に沿って水滴を流すことができる。これにより、爪部１ｄに水滴が溜まって爪部１ｄの先端１ｄ２に交差する端部（水平方向の端部）から水滴が流れることを抑制できる。よって、爪部１ｄの端部から絶縁シート３の少なくとも一部の上端３ａに水滴が流れることを抑制できる。
【００３４】
また、本実施の形態のリモコン装置においては、爪部１ｄは、絶縁シート３の少なくとも一部の上端３ａを係止している。このため、爪部１ｄと絶縁シート３の少なくとも一部の上端３ａとの間に隙間が生じることを抑制できる。これにより、爪部１ｄと絶縁シート３の少なくとも一部の上端３ａとの隙間からケース１内に水滴が侵入することを抑制できる。
【００３５】
また、本実施の形態のリモコン装置においては、爪部１ｄは、水平方向において中央部１ｆの両端に接続された堰部１ｇをさらに備えている。そして、堰部１ｇは、中央部１ｆよりも絶縁シート３の上下方向に張り出している。このため、堰部１ｇは爪部１ｄの両端から水平方向に水滴が流れることを抑制できる。これにより、爪部１ｄの両端から絶縁シート３の少なくとも一部の上端３ａに水滴が流れることを抑制できる。
【００３６】
また、本実施の形態のリモコン装置においては、爪部１ｄは、取付孔１ｅの真下に位置している。取付孔１ｅはねじなどによって押圧されるため、取付孔１ｅに水滴が集まる。爪部１ｄが取付孔１ｅの真下に位置しているため、取付孔１ｅに集まった水滴が爪部１ｄを伝って流れる。これにより、絶縁シート３の少なくとも一部の上端３ａとケース１との隙間からケース１内に水滴が侵入することを効果的に抑制できる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３８】
１  ケース、１ａ  板状部、１ｂ  周壁部、１ｂ１  外壁、１ｂ２  突出部、１ｃ  背面、１ｄ  爪部、１ｄ１  爪部の下端、１ｄ２  爪部の先端、１ｄ３  上面、１ｄ４  下面、１ｅ  取付孔、１ｆ  中央部、１ｇ  堰部、２  基板、２ａ  コネクタ、２ｂ  回路素子、３  絶縁シート、３ａ  絶縁シートの上端、３ｂ  絶縁シートの下端、１０  スイッチ、１１  表示部、１２  スリット、２０  ねじ、３０  取付板。
【図１】
0006459299.tif 000002
【図２】
0006459299.tif 000003
【図３】
0006459299.tif 000004
【図４】
0006459299.tif 000005
【図５】
0006459299.tif 000006
【図６】
0006459299.tif 000007
【図７】
0006459299.tif 000008